【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は、
第１のランダムアクセスポイント（ＲＡＰ）ピクチャを有するアクセスユニットを、ビデオビットストリーム中で、受信することと、
仮想参照デコーダ（ＨＲＤ）を初期化しないＲＡＰピクチャを有する後続のアクセスユニットを受信することと、
前記後続のアクセスユニットのための１つまたは複数のランダムアクセススキップドリーディング（ＲＡＳＬ）ピクチャが前記ビデオビットストリーム中に存在しないことに基づいて、ピクチャバッファ削除遅延オフセットに基づいて、ピクチャバッファのためのピクチャバッファ削除時間をより前にシフトすることと
を備える、方法。
【請求項２】
前記ピクチャバッファがコード化ピクチャバッファ（ＣＰＢ）を備え、前記ピクチャバッファ削除遅延オフセットがＣＰＢ削除遅延オフセットを備える、請求項１に記載の方法。
【請求項３】
前記ＣＰＢ削除遅延オフセットが、前記後続のアクセスユニットの前記ＲＡＰピクチャのためにシグナリングされる、請求項２に記載の方法。
【請求項４】
前記ピクチャバッファが復号ピクチャバッファ（ＤＰＢ）を備え、前記ピクチャバッファ削除遅延オフセットがＤＰＢ削除遅延オフセットを備える、請求項１に記載の方法。
【請求項５】
前記後続のアクセスユニットのための前記ピクチャバッファ削除遅延オフセットを受信することをさらに備える、請求項１に記載の方法。
【請求項６】
バッファリング期間補足エンハンスメント情報（ＳＥＩ）メッセージ中で前記ピクチャバッファ削除遅延オフセットを受信することをさらに備える、請求項１に記載の方法。
【請求項７】
前記ＲＡＰピクチャが、クリーンランダムアクセス（ＣＲＡ）ピクチャと切断リンクアクセス（ＢＬＡ）ピクチャとのうちの１つを含む、請求項１に記載の方法。
【請求項８】
ビデオデータを処理する方法であって、前記方法は、
仮想参照デコーダ（ＨＲＤ）を初期化するランダムアクセスポイント（ＲＡＰ）ピクチャを有する初期アクセスユニットを、ビデオビットストリーム中で、受信することと、
ＲＡＰピクチャを有する後続のアクセスユニットを、前記初期アクセスユニットに後続して、受信することと、
前記後続のアクセスユニットに関連する１つまたは複数のランダムアクセススキップドリーディング（ＲＡＳＬ）ピクチャが受信されなかったと決定することと、
前記後続のアクセスユニットに関連する１つまたは複数のＲＡＳＬピクチャが受信されなかったとの決定に基づいて、ピクチャバッファ削除時間およびピクチャバッファ削除遅延オフセットを再初期化することを含む、前記ＨＲＤを再初期化することと
を備える、方法。
【請求項９】
前記ピクチャバッファ削除時間がコード化ピクチャバッファ（ＣＰＢ）削除時間を備え、前記ピクチャバッファ削除遅延オフセットがＣＰＢ削除遅延オフセットを備える、請求項８に記載の方法。
【請求項１０】
前記ＣＰＢ削除遅延オフセットが、前記後続のアクセスユニットの前記ＲＡＰピクチャのためにシグナリングされる、請求項９に記載の方法。
【請求項１１】
前記ピクチャバッファ削除時間が復号ピクチャバッファ（ＤＰＢ）削除時間を備え、前記ピクチャバッファ削除遅延オフセットがＤＰＢ削除遅延オフセットを備える、請求項８に記載の方法。
【請求項１２】
前記ＲＡＰピクチャがクリーンランダムアクセス（ＣＲＡ）ピクチャである、請求項８に記載の方法。
【請求項１３】
前記ＲＡＰピクチャが、関連するＲＡＳＬピクチャまたはランダムアクセススキップド復号可能（ＲＡＤＬ）ピクチャのうちの１つを含む切断リンクアクセス（ＢＬＡ）ピクチャである、請求項８に記載の方法。
【請求項１４】
前記ＲＡＰピクチャが、関連するＲＡＳＬピクチャを有しないが、ＲＡＤＬピクチャを有し得る切断リンクアクセス（ＢＬＡ）ピクチャ、および関連するリーディングピクチャを有しないＢＬＡピクチャのうちの１つである、請求項８に記載の方法。
【請求項１５】
前記受信された初期アクセスユニットをビットストリーム中の第１のアクセスユニットとして処理することをさらに備える、請求項８に記載の方法。
【請求項１６】
バッファリング期間補足エンハンスメント情報（ＳＥＩ）メッセージ中で前記ピクチャバッファ削除遅延オフセットを受信することをさらに備える、請求項８に記載の方法。
【請求項１７】
ビデオデータを処理するためのデバイスであって、
ピクチャバッファと、
前記ピクチャバッファと通信状態にあるプロセッサと
を備え、前記プロセッサは、集積回路を備え、
仮想参照デコーダ（ＨＲＤ）を初期化する第１のランダムアクセスポイント（ＲＡＰ）ピクチャを有する初期アクセスユニットを、ビデオビットストリーム中で、受信することと、
前記ＨＲＤを初期化しないＲＡＰピクチャを有する後続のアクセスユニットを受信することと、
前記後続のアクセスユニットのための１つまたは複数のランダムアクセススキップドリーディング（ＲＡＳＬ）ピクチャが前記受信されたビデオビットストリーム中に存在しないことに基づいて、ピクチャバッファ削除遅延オフセットに基づいて、前記ピクチャバッファのためのピクチャバッファ削除時間をより前にシフトすることと
を行うように構成された、デバイス。
【請求項１８】
前記ピクチャバッファがコード化ピクチャバッファ（ＣＰＢ）を備え、前記ピクチャバッファ削除遅延オフセットがＣＰＢ削除遅延オフセットを備える、請求項１７に記載のデバイス。
【請求項１９】
前記ＣＰＢ削除遅延オフセットが、前記後続のアクセスユニットの前記ＲＡＰピクチャのためにシグナリングされる、請求項１８に記載のデバイス。
【請求項２０】
前記ピクチャバッファが復号ピクチャバッファ（ＤＰＢ）を備え、前記ピクチャバッファ削除遅延オフセットがＤＰＢ削除遅延オフセットを備える、請求項１７に記載のデバイス。
【請求項２１】
前記プロセッサが、前記アクセスユニットのための前記ピクチャバッファ削除遅延オフセットを受信するようにさらに構成された、請求項１７に記載のデバイス。
【請求項２２】
前記プロセッサは、バッファリング期間補足エンハンスメント情報（ＳＥＩ）メッセージ中で前記ピクチャバッファ削除遅延オフセットを受信するようにさらに構成された、請求項１７に記載のデバイス。
【請求項２３】
前記ＲＡＰピクチャが、クリーンランダムアクセス（ＣＲＡ）ピクチャと切断リンクアクセス（ＢＬＡ）ピクチャとのうちの１つを含む、請求項１７に記載のデバイス。
【請求項２４】
ビデオデータを処理するためのデバイスであって、
入力インターフェースと、ここにおいて、前記入力インターフェースは、ビデオビットストリームを受信する、
メモリと、
前記メモリおよび前記入力インターフェースと通信状態にあるプロセッサと
を備え、前記プロセッサは、集積回路を備え、前記プロセッサは、
仮想参照デコーダ（ＨＲＤ）を初期化するランダムアクセスポイント（ＲＡＰ）ピクチャを有する初期アクセスユニットを、前記ビデオビットストリーム中で、受信することと、
ＲＡＰピクチャを有する後続のアクセスユニットを、前記初期アクセスユニットに後続して、受信することと、
前記後続のアクセスユニットに関連する１つまたは複数のランダムアクセススキップドリーディング（ＲＡＳＬ）ピクチャが受信されなかったと決定することと、
前記後続のアクセスユニットに関連する１つまたは複数のランダムアクセススキップドリーディング（ＲＡＳＬ）ピクチャが受信されなかったとの決定に基づいて、ピクチャバッファ削除時間およびピクチャバッファ削除遅延オフセットを再初期化することを含む、前記ＨＲＤを再初期化することと
を行うように構成された、デバイス。
【請求項２５】
前記ピクチャバッファ削除時間がコード化ピクチャバッファ（ＣＰＢ）削除時間を備え、前記ピクチャバッファ削除遅延オフセットがＣＰＢ削除遅延オフセットを備える、請求項２４に記載のデバイス。
【請求項２６】
前記ＣＰＢ削除遅延オフセットが、前記後続のアクセスユニットの前記ＲＡＰピクチャのためにシグナリングされる、請求項２５に記載のデバイス。
【請求項２７】
前記ピクチャバッファ削除時間が復号ピクチャバッファ（ＤＰＢ）削除時間を備え、前記ピクチャバッファ削除遅延オフセットがＤＰＢ削除遅延オフセットを備える、請求項２４に記載のデバイス。
【請求項２８】
前記ＲＡＰピクチャがクリーンランダムアクセス（ＣＲＡ）ピクチャである、請求項２４に記載のデバイス。
【請求項２９】
前記ＲＡＰピクチャが、関連するＲＡＳＬピクチャまたはランダムアクセススキップド復号可能（ＲＡＤＬ）ピクチャのうちの１つを含む切断リンクアクセス（ＢＬＡ）ピクチャである、請求項２４に記載のデバイス。
【請求項３０】
前記ＲＡＰピクチャが、関連するＲＡＳＬピクチャを有しないが、ＲＡＤＬピクチャを有し得る切断リンクアクセス（ＢＬＡ）ピクチャ、および関連するリーディングピクチャを有しないＢＬＡピクチャのうちの１つである、請求項２４に記載のデバイス。
【請求項３１】
前記プロセッサが、前記受信された初期アクセスユニットをビットストリーム中の前記第１のアクセスユニットに指定するようにさらに構成された、請求項２４に記載のデバイス。
【請求項３２】
前記プロセッサは、バッファリング期間補足エンハンスメント情報（ＳＥＩ）メッセージ中で前記ピクチャバッファ削除遅延オフセットを受信するようにさらに構成された、請求項２４に記載のデバイス。
【請求項３３】
ビデオデータを処理するためのデバイスであって、
仮想参照デコーダ（ＨＲＤ）を初期化するランダムアクセスポイント（ＲＡＰ）ピクチャを有する初期アクセスユニットをビデオビットストリーム中で受信するための手段と、
前記ＨＲＤを初期化しないＲＡＰピクチャを有する後続のアクセスユニットを受信するための手段と、
前記後続のアクセスユニットに関連する１つまたは複数のランダムアクセススキップドリーディング（ＲＡＳＬ）ピクチャが前記受信されたビデオビットストリーム中に存在しないとき、ピクチャバッファ削除遅延オフセットに基づいて、ピクチャバッファのためのピクチャバッファ削除時間をより前にシフトするための手段と
を備える、デバイス。
【請求項３４】
前記ピクチャバッファがコード化ピクチャバッファ（ＣＰＢ）を備え、前記ピクチャバッファ削除遅延オフセットがＣＰＢ削除遅延オフセットを備える、請求項３３に記載のデバイス。
【請求項３５】
前記ピクチャバッファが復号ピクチャバッファ（ＤＰＢ）を備え、前記ピクチャバッファ削除遅延オフセットがＤＰＢ削除遅延オフセットを備える、請求項３３に記載のデバイス。
【請求項３６】
前記後続のアクセスユニットのための前記ピクチャバッファ削除遅延オフセットを受信するための手段をさらに備える、請求項３３に記載のデバイス。
【請求項３７】
バッファリング期間補足エンハンスメント情報（ＳＥＩ）メッセージ中で前記ピクチャバッファ削除遅延オフセットを受信することをさらに備える、請求項３３に記載のデバイス。
【請求項３８】
前記ＲＡＰピクチャが、クリーンランダムアクセス（ＣＲＡ）ピクチャと切断リンクアクセス（ＢＬＡ）ピクチャとのうちの１つを含む、請求項３３に記載のデバイス。
【請求項３９】
ビデオデータを処理するためのデバイスであって、
仮想参照デコーダ（ＨＲＤ）を初期化するランダムアクセスポイント（ＲＡＰ）ピクチャを有する初期アクセスユニットを、ビデオビットストリーム中で、受信するための手段と、
後続のアクセスユニットに関連する１つまたは複数のランダムアクセススキップドリーディング（ＲＡＳＬ）ピクチャが受信されなかったと決定するための手段と、
前記後続のアクセスユニットに関連する１つまたは複数のＲＡＳＬピクチャが受信されなかったとき、前記ＨＲＤを再初期化するための手段と、ここにおいて、前記再初期化するための手段は、ピクチャバッファ削除時間を再初期化するための手段とピクチャバッファ削除遅延オフセットを再初期化するための手段を含む、
を備える、デバイス。
【請求項４０】
前記ピクチャバッファ削除時間がコード化ピクチャバッファ（ＣＰＢ）削除時間を備え、前記ピクチャバッファ削除遅延オフセットがＣＰＢ削除遅延オフセットを備える、請求項３９に記載のデバイス。
【請求項４１】
前記ピクチャバッファ削除時間が復号ピクチャバッファ（ＤＰＢ）削除時間を備え、前記ピクチャバッファ削除遅延オフセットがＤＰＢ削除遅延オフセットを備える、請求項３９に記載のデバイス。
【請求項４２】
前記ＲＡＰピクチャがクリーンランダムアクセス（ＣＲＡ）ピクチャである、請求項３９に記載のデバイス。
【請求項４３】
前記ＲＡＰピクチャが、関連するＲＡＳＬピクチャまたはランダムアクセススキップド復号可能（ＲＡＤＬ）ピクチャをのうちの１つを含む切断リンクアクセス（ＢＬＡ）ピクチャである、請求項３９に記載のデバイス。
【請求項４４】
前記ＲＡＰピクチャが、関連するＲＡＳＬピクチャを有しないが、ＲＡＤＬピクチャを有し得る切断リンクアクセス（ＢＬＡ）ピクチャ、および関連するリーディングピクチャを有しないＢＬＡピクチャのうちの１つである、請求項３９に記載のデバイス。
【請求項４５】
前記受信された初期アクセスユニットをビットストリーム中の前記第１のアクセスユニットとして処理するための手段をさらに備える、請求項３９に記載のデバイス。
【請求項４６】
バッファリング期間補足エンハンスメント情報（ＳＥＩ）メッセージ中で前記ピクチャバッファ削除遅延オフセットを受信することをさらに備える、請求項３９に記載のデバイス。
【請求項４７】
１つまたは複数のプロセッサによる実行時に、前記１つまたは複数のプロセッサに、
仮想参照デコーダ（ＨＲＤ）を初期化するランダムアクセスポイント（ＲＡＰ）ピクチャを有する初期アクセスユニットを、ビデオビットストリーム中で、受信することと、
前記ＨＲＤを初期化しないＲＡＰピクチャを有する後続のアクセスユニットを、前記ビットストリーム中の前記初期アクセスユニットの後に、前記ビデオビットストリーム中で、受信することと、
前記後続のアクセスユニットに関連する１つまたは複数のランダムアクセススキップドリーディング（ＲＡＳＬ）ピクチャが前記受信されたビデオビットストリーム中に存在しないとき、ピクチャバッファ削除遅延オフセットに基づいて、ピクチャバッファのためのピクチャバッファ削除時間をより前にシフトすることと
を行わせる命令を記憶する非一時的コンピュータ可読記憶媒体。
【請求項４８】
１つまたは複数のプロセッサによる実行時に、前記１つまたは複数のプロセッサに、
仮想参照デコーダ（ＨＲＤ）を初期化するランダムアクセスポイント（ＲＡＰ）ピクチャを有する初期アクセスユニットを、ビデオビットストリーム中で、受信することと、
ＲＡＰピクチャを有する後続のアクセスユニットを、前記初期アクセスユニットに後続して、受信することと、
前記後続のアクセスユニットに関連する１つまたは複数のランダムアクセススキップドリーディング（ＲＡＳＬ）ピクチャが受信されなかったと決定することと、
前記後続のアクセスユニットに関連する１つまたは複数のＲＡＳＬピクチャが受信されなかったとの決定に基づいて、ピクチャバッファ削除時間を再初期化することとピクチャバッファ削除遅延オフセットを再初期化することを含む、前記ＨＲＤを再初期化することと
を行わせる命令を記憶する非一時的コンピュータ可読記憶媒体。
【請求項４９】
ビデオデータを処理する方法であって、
各クリーンランダムアクセス（ＣＲＡ）または切断リンクアクセス（ＢＬＡ）アクセスユニットのためのコード化ピクチャバッファ（ＣＰＢ）削除遅延オフセットをシグナリングすることと、
前記ＣＲＡアクセスユニットのうちの１つにまたは前記ＢＬＡアクセスのうちの１つに関連する１つまたは複数のランダムアクセススキップドリーディング（ＲＡＳＬ）ピクチャが受信されなかったかどうかを決定することと、
前記ＣＲＡアクセスユニットのうちの１つにまたは前記ＢＬＡアクセスのうちの１つに関連する１つまたは複数のランダムアクセススキップドリーディング（ＲＡＳＬ）ピクチャが受信されなかった場合、復号順序で前記ＣＲＡまたはＢＬＡアクセスユニットに後続する前記アクセスユニットの各々のＣＰＢ削除時間を、前記関連するＲＡＳＬピクチャが存在しない各ＣＲＡまたはＢＬＡアクセスユニットのための前記ＣＰＢ削除遅延オフセットだけより前にシフトすることと
を備える、方法。
【請求項５０】
それぞれが前記ＨＲＤを初期化しないＲＡＰピクチャを有する、前記初期アクセスユニットに後続する、前記アクセスユニットのためのそれぞれのピクチャバッファ削除遅延オフセットの累積に基づいて、前記ピクチャバッファのための前記ピクチャバッファ削除時間をより前にシフトすることをさらに備える、請求項１に記載の方法。
【請求項５１】
前記ＨＲＤを初期化しない前記ＲＡＰピクチャを有する前記後続のアクセスユニットと、前記ＨＲＤを初期化する前記ＲＡＰピクチャを有する前記初期アクセスユニットの両方のためのそれぞれのピクチャバッファ削除遅延オフセットに基づいて前記ピクチャバッファのための前記ピクチャバッファ削除時間をより前にシフトすることをさらに備える、請求項１に記載の方法。
【請求項５２】
前記プロセッサは、それぞれが前記ＨＲＤを初期化しないＲＡＰピクチャを有する、前記初期アクセスユニットに後続する、前記アクセスユニットのためのそれぞれのピクチャバッファ削除遅延オフセットの累積に基づいて、前記ピクチャバッファのための前記ピクチャバッファ削除時間をより前にシフトするようにさらに構成された、請求項１７に記載のデバイス。
【請求項５３】
前記プロセッサは、前記ＨＲＤを初期化しない前記ＲＡＰピクチャを有する前記後続のアクセスユニットと、前記ＨＲＤを初期化する前記ＲＡＰピクチャを有する前記初期アクセスユニットの両方のためのそれぞれのピクチャバッファ削除遅延オフセットに基づいて前記ピクチャバッファのための前記ピクチャバッファ削除時間をより前にシフトするようにさらに構成された、請求項１７に記載のデバイス。
【請求項５４】
それぞれが前記ＨＲＤを初期化しないＲＡＰピクチャを有する、前記初期アクセスユニットに後続する、前記アクセスユニットのためのそれぞれのピクチャバッファ削除遅延オフセットの集積に基づいて、前記ピクチャバッファのための前記ピクチャバッファ削除時間をより前にシフトするための手段をさらに備える、請求項３３に記載のデバイス。
【請求項５５】
前記ＨＲＤを初期化しない前記ＲＡＰピクチャを有する前記後続のアクセスユニットと、前記ＨＲＤを初期化する前記ＲＡＰピクチャを有する前記初期アクセスユニットの両方のためのそれぞれのピクチャバッファ削除遅延オフセットに基づいて前記ピクチャバッファのための前記ピクチャバッファ削除時間をより前にシフトするための手段をさらに備える、請求項３３に記載のデバイス。